(57)【要約】【課題】蓋を開けずに包装体の添加物を容器内へ注入でき、添加物消費後に包装体が散乱せず、後片付け不要の蓋体を提供する。上記蓋体に装着して使用するのに適する折曲げ破断開封式包装体を提供する。【解決手段】蓋体Ａには、包装体Ｂを収容し得る凹部３と、包装体に設けた支軸を嵌合して回転自在に保持する溝５とを設け、凹部の底板に包装体の折曲げ破断開封動作により開口される切線４を設けた。包装体Ｂは、基板１１の一面に接合された可撓性シート製袋１３の中に添加物が収容されかつ基板のＶ字形折曲げ破断により開封され、その破断部分から添加物が注出される包装体であって、基板から破断線の延長線に対して互いに反対側位置から又は破断線の延長線上に基板の両外側に突出する支軸１５が設けられ、上記蓋体に装着されて、支軸は蓋体の溝に回転自在に嵌合されるようにした。【選択図】    図１
2004292025.tif 000002
【特許請求の範囲】
【請求項１】
折曲げ破断開封式の包装体を収容し得る凹部と、その包装体に形成されている支軸を嵌合して回転自在に保持する溝とを設け、前記凹部の底板に前記包装体をＶ字形に折曲げ破断開封する時に開口される切線又は既に開口されているスリットを設けたことを特徴とする蓋体。
【請求項２】
凹部の底板に切線又はスリットが形成され、前記凹部を構成する周壁の、前記切線の延長線又は前記スリットの延長線に対して互いに反対側となる位置において、折曲げ破断開封式の包装体の基板の互いに反対側に前記基板の破断線に対して互いに反対側の至近位置に設けられた支軸を回転自在に保持する一対の溝が形成されていることを特徴とする請求項１に記載された蓋体。
【請求項３】
凹部の底板にスリットが形成され、前記凹部を構成する周壁の、前記スリットの延長線上において、折曲げ破断開封式の包装体の基板の破断線の延長上の両外側に突設された支軸を回転自在に保持する一対の溝が形成されていることを特徴とする請求項１に記載された蓋体。
【請求項４】
基板の一方の面に周縁が接合されて密封された可撓性シート製袋の中に添加物が収容されかつ前記基板を長さ方向中間部において折曲げることにより前記基板が破断されて前記袋が開封され、その破断部分から前記添加物が注出されるようにした包装体であって、前記基板の幅方向端部から破断線の延長線に対して互いに反対側となる至近位置から前記基板の両外側に突出する支軸が設けられ、請求項２に記載された蓋体の天板に装着されて、前記支軸はその蓋体の周壁の溝に回転自在に嵌合されることを特徴とする包装体。
【請求項５】
基板の一方の面に周縁が接合されて密封された可撓性シート製袋の中に添加物が収容されかつ前記基板を長さ方向中間部において折曲げることにより前記基板が破断されて前記袋が開封され、その破断部分から前記添加物が注出されるようにした包装体であって、前記基板の幅方向端部から破断線の延長上の両外側に突出する支軸が設けられ、請求項３に記載された蓋体の天板に装着されて、前記支軸はその蓋体の周壁の溝に回転自在に嵌合されることを特徴とする包装体。
【発明の詳細な説明】
【０００１】
【発明の属する技術分野】
本発明は、蓋体及びその蓋体用包装体に関する。さらに詳しくは、添加物を収容している折曲げ破断開封式包装体を必要時に天板に装着して保持する機能と、保持した包装体の折曲げ破断開封注出を補助する機能とを有する蓋体及びその蓋体に装着して使用するのに適する折曲げ破断開封式包装体に関する。
【０００２】
【従来の技術】
ファストフード店やビュッフェ等で、客に飲食物を使い捨て容器（カップ等）に入れて提供する時は、その飲食物用の添加物を収容している包装体が一緒に提供される場合がある。飲食物を入れた容器を持って場所を移動中にその飲食物  （以下、被収容物という場合がある。）が零れることを防ぐため、容器に蓋を閉めた状態で提供されることが多い。
【０００３】
【発明が解決しようとする課題】
包装体が提供される形態には、（ａ）蓋から独立して作られた包装体が蓋から分離された状態で提供される場合と、（ｂ）蓋から独立して作られた包装体が蓋の中に収容して提供される場合と、（ｃ）包装体が蓋と一体に形成されている場合（特許文献１〜５参照）とがある。
【０００４】
【特許文献１】
特開平７−１０１７１号公報
【特許文献２】
特開平９−２５１６号公報
【特許文献３】
特開平９−３０１４１９号公報
【特許文献４】
特開２００１−２７０５４６号公報
【特許文献５】
特開２００２−１７９１７４号公報
【０００５】
（ａ）の別体の包装体を用いる場合は、容器から蓋を外した後、包装体を開封注出して添加物を容器の中に注入するが、その開封作業中に、テーブルの上などに置かれている容器に接触してこれを転倒させ、被収容物を零してしまうことがあり、また、包装体から添加物を容器の中に常に旨く注入できるとは限らず、容器の外に注出してしまうこともある。また、添加物注出後の空になった包装体又は添加物が残留している包装体がゴミとなり、テーブル上の放置・散乱、又は、残留添加物の漏出によるテーブル汚染などの店内環境悪化の原因となり、店側は客が退出した後のゴミの後片付けに手間がかかる。
そのため、包装体を保持する機能を有する蓋体の出現が待望されたことから、上記（ｂ）と（ｃ）の提供形態に発展したが、（ｂ）の場合は、まず容器から蓋を外して、その蓋の中から包装体を取り出し、その後に包装体の開封注出作業を行うので、（ａ）の場合と同様の問題点がある。また、（ａ）（ｂ）のいずれの場合も、添加物注入後に容器の被収容物と添加物を混合するためシェイクするときは、再び蓋を装着しなければならないという煩わしさがある。
一方、（ｃ）の包装体を一体に有する蓋体、すなわち、包装体付き蓋体は、上記ゴミ発生やテーブル汚染などの問題が生じない利点を有するが、従来の包装体付き蓋体は、形状が複雑であるため、製造困難及び製造コスト上昇の難点があった。さらに、包装体の開封及び添加物の注出が容易にできない、開封動作の際に容器が激しく揺らされて内容物が零れる、などの問題点があった。
【０００６】
基板の裏面に可撓性合成樹脂シートの周縁を接合して基板とともに袋を形成し、その袋の中に添加物を密封して、基板をその長さ方向中間部分でＶ字形に折曲げることにより、基板を破断すると同時に袋を開封して、基板で押圧された袋の中の添加物を破断部分から注出させるようにした折曲げ破断開封式の包装体が、昭和６３年頃から各種知られている（特許文献６〜１０参照）。この包装体は、開封具を必要とせず、添加物の任意量の注出が可能であるという利点を有する。
【０００７】
【特許文献６】
実開昭６３−５９８５９号公報
【特許文献７】
実開昭６４−２７７６号公報
【特許文献８】
実開平６−６７３６９号公報
【特許文献９】
特開平３−２５６８６２号公報
【特許文献１０】
特開平８−２３０９５４号公報
【特許文献１１】
特開２００２−２０４６６７号公報
【０００８】
本発明は、上記の事情に鑑みてなされたものであり、その第一の課題は、折曲げ破断開封式包装体の装着が可能で、蓋を開けずに添加物を容器内に注入することができ、しかも、添加物消費後に包装体が散乱せず、後片付けが不要な蓋体を提供することにある。
【０００９】
本発明の第二の課題は、上記蓋体に装着して使用するのに適する折曲げ破断開封式包装体を提供することにある。
【００１０】
【課題を解決するための手段】
上記第一の課題を解決し得る本発明に係る蓋体は、折曲げ破断開封式の包装体を収容し得る凹部と、その包装体に形成されている支軸を嵌合して回転自在に保持する溝とを有し、前記凹部の底板に前記包装体をＶ字形に折曲げ破断開封する時に開口される切線又は既に開口されているスリットを有することを特徴としている。
上記構成により、蓋体の凹部に折曲げ破断開封式の包装体を収容し、凹部の反対側の溝に包装体の基板の両側に突出する支軸を嵌合して装着することができる。その支軸を溝に保持しながら包装体の基板の両端部を指先で引き上げると、基板が破断線においてＶ字形に折曲げ破断開封されると同時に、その破断部分が蓋体の切線を押し付けて開口させ、又は破断開封された口がスリットに対向する。従って、包装体に収容されていて加圧された添加物が開口又はスリットに向けて注出される。
【００１１】
上記第一の課題を解決し得る蓋体は、凹部の底板に切線又はスリットが形成され、凹部を構成する周壁の、切線の延長線又はスリットの延長線に対して互いに反対側となる位置において、折曲げ破断開封式の包装体の基板の互いに反対側に前記基板の破断線に対して互いに反対側の至近位置に設けられた支軸を回転自在に保持する一対の溝が形成されている構成とすることができる。
【００１２】
上記第一の課題を解決し得る蓋体は、凹部の底板にスリットが形成され、凹部を構成する周壁の、スリットの延長線上において、折曲げ破断開封式の包装体の基板の破断線の延長上の両外側に突設された支軸を回転自在に保持する一対の溝が形成されている構成とすることもできる。
【００１３】
上記第二の課題を解決し得る包装体は、基板の一方の面に周縁が接合されて密封された可撓性シート製袋の中に添加物が収容されかつ前記基板を長さ方向中間部において折曲げることにより前記基板が破断されて前記袋が開封され、その破断部分から前記添加物が注出されるようにした包装体であって、前記基板の幅方向端部から破断線の延長線に対して互いに反対側となる至近位置から前記基板の両外側に突出する支軸が設けられ、段落００１１に記載された蓋体の天板に装着されて、前記支軸はその蓋体の周壁の溝に回転自在に嵌合される構成とすることもできる。
【００１４】
上記第二の課題を解決し得る包装体は、基板の一方の面に周縁が接合されて密封された可撓性シート製袋の中に添加物が収容されかつ前記基板を長さ方向中間部において折曲げることにより前記基板が破断されて前記袋が開封され、その破断部分から前記添加物が注出されるようにした包装体であって、前記基板の幅方向端部から破断線の延長上の両外側に突出する支軸が設けられ、段落００１２に記載された蓋体の天板に装着されて、前記支軸はその蓋体の周壁の溝に回転自在に嵌合されることを特徴としている。
【００１５】
【発明の実施の形態】
続いて、本発明の実施の形態について、図面を参照しながら説明する。
図１は第一の実施例における蓋体及びその蓋体に装着して使用される包装体の一例の斜視図、図２は同蓋体及び包装体の平面図、図３は蓋体に包装体を装着した状態を示す平面図、図４は蓋体に装着された包装体から添加物を注出する時の作用を説明する断面図である。図５は他の実施の形態を示す平面図、図６はさらに他の実施の形態を示す平面図、図７はさらに他の実施の形態における放送体の構造を示す平面図である。
【００１６】
図１において、蓋体Ａは、透明又は不透明の合成樹脂で薄肉に成形され、飲食物をを収容して提供するために一般的に使用されている使い捨てカップ等の容器本体の開口に嵌着して密閉することができるものである。この蓋体Ａは、その天板に該当する部分が外周壁１の内側に一例として小判形に陥没されて、内周壁２に包囲された上面に開口する凹部３を有し、その凹部３の底板には、蓋体のほぼ中央において内周壁２の距離が狭められた面に直交する線に沿って延びる切線  （又は弱め線。本明細書において同じ。）４が形成されている。切線の両端部には、後述される切線４の開口を容易にするため、Ｔ字形又はＹ字形となるように接続された補助切線４ａを設けることが望ましい。
【００１７】
そして、内周壁２の距離が狭められて互いに対向する面に、前記切線４に対して互いに反対側となる位置に、上方及び凹部３の方向に開口する一対の溝５が形成されている。
【００１８】
凹部３と溝５は、後述される、添加物を収容している折曲げ破断開封式の包装体Ｂを収容して保持することができる。
ここで、折曲げ破断開封式の包装体Ｂについて、図１に例示したものを参照して説明すると、包装体Ｂは、ほぼ矩形の多少の剛性を有する基板１１の一方の面に可撓性合成樹脂シート１２の周縁を接着又は溶着などにより接合して、基板とともに袋１３を形成し、その袋の中に任意の添加物、例えば砂糖、ミルク、シロップ、レモン水、各種調味料、薬味等の飲食物に添加される液体、粉粒体などを充填したものであり、通常は、基板１１の他方の面の長さ方向中間位置に破断線（又は弱め線もしくは折り目線。以下、同じ）１４が設けられ、また、袋は基板１１の長さ方向中間部の両側に設けられている。そして、基板１１をその長さ方向中間部において袋１３が押圧されるようにＶ字形に折曲げることにより、基板１１が破断線１４の部分において破断して開封されるとともに、袋１３の中の添加物が加圧されて、その破断部分から注出（又は噴出）されるものである。
【００１９】
１５は、本発明による蓋体Ａに装着されるように基板１１に付加された支軸であり、図１及び図２に示された例では、基板１１の幅方向両側部の、破断線１４の延長線に対して互いに反対側となる位置から外側に所要の長さを持って突出されている。
【００２０】
本発明において用いられる包装体Ｂは、基板１１の幅方向両端部に支軸１５が突設された点を除けば、基板の折曲げ破断開封及び袋の押圧により添加物が基板の破断部分から注出される構造を有する既知のいかなる形状のもの及び他のいかなる構成が付加されたものでも構わない。
【００２１】
上記の構成を有する蓋体Ａには、図３に示すように、上記包装体Ｂを凹部３に収容するとともに、両側の支軸１５を両側の溝５に嵌合して保持することができる。この場合、収容保持されている包装体Ｂの基板の長手方向両端部と蓋体Ａの遠く離間されている面との間に指先の挿入が可能な程度の隙間が残る程度に基板１１の長さが設定されていることが望ましい。これにより、蓋体Ａに包装体Ｂがその支軸１５を溝５に挿入した状態で装着されている場合に、例えば親指の先端と人差し指の先端を基板と蓋体の内周壁との間に挿入して、基板１１の両端部に容易に係止することができる。溝５の底部を凹部３の底面よりも若干高くすると、基板１１への指先を掛け易くなるので好ましい。
【００２２】
包装体Ｂの支軸１５を溝５内に保持するように力を加えながら、基板の両端部に係止させた指先でその基板の両端部を引き起こして、図４に示すように基板１１を破断線の部分においてＶ字形に折曲げることができ、さらにその基板の端部同士を近付けると、基板１１が破断線の部分において破断され、かつ袋１２が開封されるので、これと同時に両側の基板により袋内で押圧された添加物がその破断部分から下方に噴出又は注出される。
【００２３】
この包装体の基板の破断の際は、支軸１５が破断線の互いに反対側に設けてあるため、基板のＶ字形屈曲の際に破断部分がＶ字形に下方に突出することとなり、その突出部分が蓋体Ａの底板６の切線４の両側に存在する部分を押し下げ、開口させる。そのため、包装体Ｂの袋から噴出される添加物は底板６の開口から下方に噴出又は注出される。従って、蓋体Ａが図４に鎖線で示すように飲食物を収容した容器本体Ｃに装着されている場合は、その蓋体を開けずに、包装体Ｂの基板の両端部を引き上げるだけで、添加物を飲食物に添加することができる。包装体の折曲げ破断開封動作を行う時に、支軸１５が溝５を上方に移動しないようにするため、溝５の一方側又は双方側から突出して溝を狭くする突起を設けて、支軸１５の移動を阻止することか望ましい。
【００２４】
上記の実施の形態は、外形が円形の蓋体の場合であったため、内周壁２の一部分の距離を狭める工夫を施したが、図５（ａ）に例示するように、蓋体Ａｅ１が矩形の場合は、周壁の厚みを均一にし、その周壁に凹部３から外側に連通する一対の溝５、５を形成してもよい。また、飲食物の種類によっては、一つの蓋体に複数個の包装体の装着を必要とする場合がある。その場合は、図５（ｂ）に示すように、蓋体Ａｅ２に複数個の凹部３，３を形成し、各凹部の両側に一対の溝５ａ，５ｂ；５ａ，５ｂを形成すれば良い。
【００２５】
また、上記の実施の形態では、包装体Ｂの一対の支軸１５は、破断線の延長線に関して互いに反対側となる位置に偏位させて設けられたが、基板１１をＶ字形に屈曲した場合に、その屈曲部先端が蓋体の天板（底板６）を切線の位置において押し下げて開口させることができればよいので、図６に例示するように、蓋体Ａｅ３の溝５ｃは、蓋体の天板（底板６）を切線の延長線上に適宜の幅を有するように形成するとともに、基板１１の破断線の延長上に適宜の幅を有する一対の支軸１５ｅを設けることもできる。その場合、破断線１４を支軸１５ｅまで延設してもよい。このように延設した場合は、基板の屈曲時の破断が容易になる。さらに、図７に示すように、各支軸を基板１１の破断線１４の両側に適宜離間して存在するように分割形成（１５ｅ´）する場合は、折曲げ破断開封動作時に蓋体の切線に沿った破断を容易確実に行うことができる。
【００２６】
さらに、上記の実施の形態においては、蓋体の天板（底板４）に包装体の基板の折曲げ破断開封動作時に一緒に開口される切線を設けたが、切線に代えて、予め開口しているスリットを設けてもよい。この場合は、包装体の蓋体に対する装着状態は、包装体の基板の折曲げ破断開封動作時に蓋体の切線を開口させるという厳しい条件を満たす必要がない。
【００２７】
【発明の効果】
上述のように、請求項１の発明によれば、蓋体に折曲げ破断開封式の包装体を収容し得る凹部と、その包装体に形成されている支軸を嵌合して回転自在に保持する溝とを設け、凹部の底部にその包装体をＶ字形に折曲げ破断開封する時開口される切線又は既に開口されているスリットを設けたので、蓋体に折曲げ破断開封式の包装体を装着することができ、その装着された包装体の支軸を溝に保持しながら包装体の基板の両端部を指先で引き上げる折曲げ破断開封動作を行うことにより、その包装体はＶ字形に屈曲破断開封され、蓋体の切線により形成された開口又はスリットから、包装体に収容され加圧された添加物が注出される。従って、蓋体を取り外さずに、これが装着されている容器本体の中に添加物を注入することができる。
【００２８】
請求項２の発明によれば、蓋体は、その周壁の、切線の延長線又はスリットの中央線の延長線に対して互いに反対側となる位置において、折曲げ破断開封式の包装体の基板の互いに反対側に前記基板の破断線に対して互いに反対側の至近位置に設けられた支軸の軸受となる溝が形成されているので、この蓋体に請求項４に記載された包装体を装着することができ、装着された包装体の支軸を溝に保持しながら包装体の折曲げ破断開封動作をすると、包装体が基板の破断線において屈曲破断開封される。蓋体が切線を有するものである場合は、その屈曲部分先端により蓋体の凹部の底板が切線において開口される。従って、包装体の折曲げ開封動作をするまでは密閉状態が維持される利点がある。また、蓋体がスリットを有するものである場合は、包装体の支軸の突設位置を破断線の延長線から離す距離を小さくすることができ、折曲げ破断開封動作の安定性の向上を図ることができる。さらに、蓋体を取り外さずに包装体の折曲げ開封動作をするだけで、添加物を容器本体の中に注入することができる。
【００２９】
請求項３の発明によれば、蓋体は、その周壁の、スリットの延長線上において、折曲げ破断開封式の包装体の基板の破断線の延長上に突設された支軸を回転自在に保持する一対の溝が形成されているので、この蓋体に請求項５に記載の包装体を装着することができ、装着された包装体の支軸を溝に保持しながら包装体の折曲げ破断開封動作をすると、包装体が基板の破断線において屈曲破断開封されるとともに、その開封部分が蓋体の凹部の底板に設けてあるスリットに向かって開口される。この蓋体は、包装体の一直線上の両側に存在する支軸を支持するので、折曲げ破断開封動作を安定して行うことができる利点がある。
【図面の簡単な説明】
【図１】第一の実施例における蓋体及びその蓋体に装着して使用される包装体の一例の斜視図。
【図２】同蓋体及び包装体の平面図。
【図３】蓋体に包装体を装着した状態を示す平面図。
【図４】蓋体に装着された包装体から添加物を注出する時の作用を説明する断面図。
【図５】他の実施の形態を示す平面図。
【図６】さらに他の実施の形態を示す平面図。
【図７】さらに他の実施の形態における包装体の平面図。
【符号の説明】
Ａ，Ａｅ１，Ａｅ２，Ａｅ３    蓋体
３    凹部
４    切線
５    溝
Ｂ，Ｂｅ１，Ｂｅ２    包装体
１１  基板
１２  可撓性シート
１３  袋
１４  破断線
１５，１５ｅ，１５ｅ´  支軸
【図１】
2004292025.tif 000003
【図２】
2004292025.tif 000004
【図３】
2004292025.tif 000005
【図４】
2004292025.tif 000006
【図５】
2004292025.tif 000007
【図６】
2004292025.tif 000008
【図７】
2004292025.tif 000009